(57)【要約】  本明細書は、支払図形コードを含む第1表面を含むデバイス本体と、デバイス本体の内部にインストールされ、無線リンクおよび／または有線リンクを介して外部と通信する、通信モジュールと、デバイス本体の内部にインストールされ、通信モジュールに電気的に接続された処理モジュールと、デバイス本体の内部にインストールされ、処理モジュールに電気的に接続されたスピーカと、を備え、通信モジュールを使用することによって外部のトリガ信号を受信すると、処理モジュールはスピーカに支払結果オーディオ信号を出力して、スピーカを駆動して支払結果オーディオを出力する、スマートブロードキャストデバイスを開示する。
2020523653.tif 000002
【特許請求の範囲】
【請求項１】
支払図形コードを含む第1表面を含む、デバイス本体と、
前記デバイス本体の内部にインストールされ、無線リンクおよび／または有線リンクを介して外部と通信する、通信モジュールと、
前記デバイス本体の内部にインストールされ、前記通信モジュールに電気的に接続された処理モジュールと、
前記デバイス本体の内部にインストールされ、前記処理モジュールに電気的に接続されたスピーカと、を備え、
前記通信モジュールを使用することによって外部のトリガ信号を受信すると、前記処理モジュールは前記スピーカに支払結果オーディオ信号を出力して、前記スピーカを駆動して支払結果オーディオを出力する、
スマートブロードキャストデバイス。
【請求項２】
前記第１表面は、前記支払図形コードを表示するように構成されたディスプレイ画面を含む、
請求項１に記載のスマートブロードキャストデバイス。
【請求項３】
前記支払図形コードのコードレイヤは前記第１表面に貼りつけられる、
請求項１に記載のスマートブロードキャストデバイス。
【請求項４】
前記デバイス本体は、下面をさらに含み、前記第１表面と前記下面との間の角度は90度未満である、
請求項１に記載のスマートブロードキャストデバイス。
【請求項５】
前記第１表面と前記下面との間の前記角度は、２０度から７０度である、
請求項４に記載のスマートブロードキャストデバイス。
【請求項６】
前記スピーカのスピーカホールは、前記第１表面上の前記支払図形コードの左側と右側に配置される、
請求項１に記載のスマートブロードキャストデバイス。
【請求項７】
前記デバイス本体にインストールされ、エンドユーザデバイスを充電するために電力を出力するように構成された、USBインタフェースをさらに含む、
請求項１に記載のスマートブロードキャストデバイス。
【請求項８】
前記デバイス本体にインストールされ、前記処理モジュールによって出力される光ドライブ信号に基づいて対応する光プロンプトを出力するように構成されたＬＥＤステータスインジケータをさらに含む、
請求項１に記載のスマートブロードキャストデバイス。
【請求項９】
音量調整ボタンをさらに含む、請求項１に記載のスマートブロードキャストデバイス。
【請求項１０】
前記デバイス本体の内部にインストールされ、エンドユーザデバイス情報を検出するように構成された、Wi-Fiプローブモジュールであって、
前記処理モジュールは、所定のプロトコルに従って、前記Wi-Fiモジュールによって検出された前記エンドユーザデバイス情報をカプセル化し、前記通信モジュールを使用することによって、前記エンドユーザデバイス情報を報告するようにさらに構成された、
請求項１に記載のスマートブロードキャストデバイス。
【請求項１１】
前記デバイス本体の内部にインストールされ、NFC機能を備えるエンドユーザデバイスが検出されると、NFC技術を使用することによって前記支払図形コードに含まれる情報を前記エンドユーザデバイスに送信するように構成された、NFCモジュールをさらに含む、
請求項１に記載のスマートブロードキャストデバイス。
【発明の詳細な説明】
【技術分野】
【０００１】
本明細書は、スマートハードウェア技術の分野に関し、特に、スマートブロードキャストデバイスに関する。
【背景技術】
【０００２】
インターネット技術の急速な発展により、電子取引が人々の生活に入り込んでいる。オンライン送金およびオンライン支払といったオンライン電子取引は、徐々にオフラインで実行される。例えば、商人から物やサービスを購入したあと、ユーザはインターネットを介して代金を支払う。オフライン電子取引シナリオにおいて、よりタイムリーで信頼性の高い取引結果のフィードバックソリューションが必要とされている。
【発明の概要】
【０００３】
これに鑑みて、本明細書はスマートブロードキャストデバイスを提供する。
【０００４】
本明細書は、以下の技術的解決策を使用することによって実装される。
【０００５】
スマートブロードキャストデバイスは、デバイス本体であって、支払い図形コードを含む第1表面を含む、デバイス本体と、通信モジュールであって、デバイス本体の内部にインストールされ、無線リンクおよび／または有線リンクを介して外部と通信する、通信モジュールと、処理モジュールであって、デバイス本体の内部にインストールされ、通信モジュールに電気的に接続された処理モジュールと、デバイス本体の内部にインストールされ、処理モジュールに電気的に接続されたスピーカと、を含み、通信モジュールを使用することによって外部のトリガ信号を受信すると、処理モジュールはスピーカに支払結果オーディオ信号を出力して、前記スピーカを駆動して支払結果オーディオを出力する。
【０００６】
任意選択で、第１表面は、支払図形コードを表示するように構成されたディスプレイ画面を含む。
【０００７】
任意選択で、支払図形コードのコードレイヤは前記第１表面に貼りつけられる。
【０００８】
任意選択で、デバイス本体は、下面をさらに含み、第１表面と下面との間の角度は90度未満である。
【０００９】
任意選択で、第１表面と下面との間の角度は、２０度から７０度である。
【００１０】
任意選択で、スピーカのスピーカホールは、第１表面上の支払図形コードの左側と右側に配置される。
【００１１】
任意選択で、スマートブロードキャストデバイスはさらに、デバイス本体にインストールされ、エンドユーザのデバイスを充電するために電力を出力するように構成された、USBインタフェースをさらに含む。
【００１２】
任意選択で、スマートブロードキャストデバイスはさらに、デバイス本体にインストールされ、処理モジュールによって出力される光ドライブ信号に基づいて対応する光プロンプトを出力するように構成される。
【００１３】
任意選択で、スマートブロードキャストデバイスはさらに、音量調整ボタンを含む。
【００１４】
任意選択で、スマートブロードキャストデバイスはさらに、デバイス本体の内部にインストールされ、エンドユーザのデバイス情報を検出するように構成された、Wi-Fiプローブモジュールを含み、処理モジュールは、所定のプロトコルに従って、Wi-Fiモジュールによって検出されたエンドユーザデバイス情報をカプセル化し、通信モジュールを使用することによって、エンドユーザデバイス情報を報告するようにさらに構成される。
【００１５】
任意選択で、スマートブロードキャストデバイスはさらに、デバイス本体にインストールされ、NFC機能を備えるエンドユーザデバイスが検出されると、NFC技術を使用することによって支払図形コードに含まれる情報をエンドユーザデバイスに送信するように構成された、NFCモジュールを含む。
【００１６】
前述の説明から、本明細書で説明されるスマートブロードキャストデバイスは、支払図形コードと支払結果ブロードキャスト機能を統合し、ユーザは、デバイス本体に含まれる支払図形コードをスキャンすることによって支払をすることができ、スマートブロードキャストデバイスの処理モジュールは、通信モジュールを使用することによって支払システムからトリガ信号を受信し、支払結果オーディオ信号をスピーカに出力して、スピーカを駆動して支払結果オーディオを出力することができる。このように、支払結果をタイムリーかつ信頼性の高い方法で、ブロードキャストすることができ、電子決済の体験を改善することができる。さらに、支払システムのブランド効果を向上させることができ、支払システムの宣伝に役立つ。
【図面の簡単な説明】
【００１７】
【図１】本明細書の例示的な実装に従った、スマートブロードキャストデバイスを示す概略図である。
【図２】本明細書の例示的な実装に従った、スマートブロードキャストデバイス上の支払図形コードのスキャンを示す概略図である。
【図３】本明細書の例示的な実装に従った、別のスマートブロードキャストデバイスを示す概略図である。
【図４】本明細書の例示的な実装に従った、スマートブロードキャストデバイスのバインディングを示す概略フローチャートである。
【図５】本明細書の例示的な実装に従った、スマートブロードキャストデバイス上の電源投入を示す概略フローチャートである。
【図６】本明細書の例示的な実装に従った、スマートブロードキャストデバイスによる支払結果オーディオのブロードキャストを示す概略フローチャートである。
【発明を実施するための形態】
【００１８】
実装例はここで詳細に説明され、実装は添付図面に示される。以下の説明が添付図面に関連する場合、特に明記しない限り、異なる添付図面の同じ番号は同じか又は類似する要素を表す。以下の実装例で説明する実装は、本明細書と一致するすべての実装を表すものではない。むしろ実装は、添付の特許請求の範囲に詳細に記載され、本明細書のいくつかの態様と一致する装置および方法の一例にすぎない。
【００１９】
本明細書で使用される用語は、単に特定の実施形態を説明するために使用されるものであり、本明細書を限定することを意図するものではない。本明細書および添付の特許請求の範囲で使用される用語「１つの（ａ）」および「その（ｔｈｅ）」は、文脈で明確にされない限り、複数形も含むことを意図している。本明細書で使用される「および/または（and/or）」は、１つ又は複数の関連する列挙された項目の任意の、または全ての可能な組み合わせを示し、含むことをさらに理解されたい。
【００２０】
本明細書では、第1（first）、第2(second)、および第3(third)などの用語を使用して様々な種類の情報を記述することができるが、情報はこれらの用語に限定されないことを理解されたい。これらの用語は、同じタイプの情報を区別するためにのみ使用される。例えば、本明細書の範囲内において、第1の情報を第2の情報と呼ぶこともできる。同様に、第2の情報を第1の情報と呼ぶこともできる。文脈に応じて、例えば、本明細書で使用される用語「もし（if）」は、「間（while）」、「とき（when）」、または「判断に応じて(in response to determining)」と解釈されることができる。
【００２１】
本明細書は、支払システムとスマートブロードキャストデバイスとの間の協力を通じて実装されることができるスマートブロードキャストソリューションを提供する。支払システムは通常、支払サービスプロバイダによって配置されたサーバまたはサーバクラスタである。スマートブロードキャストデバイスはオーディオブロードキャスト機能を有する。
【００２２】
図１は、本明細書の例示的な実装に従った、スマートブロードキャストデバイスを示す概略図である。
【００２３】
図１を参照すると、スマートブロードキャストデバイスはデバイス本体１００を含み、デバイス本体１００は支払い図形コード１０１１を含む第1表面１０１を含む。支払い図形コード１０１１は、サービスプロバイダのアカウントの識別情報を含むことができる。例えば、支払い図形コード１０１１は、商人アカウントの識別子を含むことができ、ユーザは支払いのために支払い図形コード１０１１をスキャンすることができる。あるいは、支払い図形コード１０１１はランダムコードを含むことができ、商人は支払い図形コード１０１１を商人のアカウントにバインドすることができ、その後ユーザは支払のために支払い図形コード１０１１をスキャンすることができる。実施形態は、本明細書においては限定されない。
【００２４】
例えば、支払い図形コード１０１１のコーディングレイヤは、第1表面１０１に貼りつけられることができる。例えば、商人は商人アカウント情報を含む支払い図形コードを印刷して、次いで支払い図形コードを第1表面１０１に貼り付ける。
【００２５】
別の例において、第1表面１０１は、支払い図形コード１０１１を表示するように構成されたディスプレイスクリーン（図示せず）を含むことができる。例えば、スマートブロードキャストデバイスが商人アカウントにバインドされたあと、支払システムは商人アカウントに関する情報をスマートブロードキャストデバイスに送信することができ、スマートブロードキャストデバイスは商人アカウント情報を含む支払い図形コード１０１１をディスプレイスクリーンに表示することができる。
【００２６】
もちろん、実際には支払い図形コード１０１１は別の方法に含まれてもよく、実施形態は本明細書において限定されない。
【００２７】
本実施形態において、ユーザが支払い図形コード１０１１をスキャンするのを助けるために、デバイス本体の第1表面１０１と下面との間の夾角は９０度未満に設定されてもよい。図２を参照すると、一般的な卓上の高さは通常７０cmから１ｍの範囲であるから、ユーザが立っているときに携帯電話などのエンドユーザデバイスを使用する姿勢に適応するため、ユーザが支払図形コード１０１１をスキャンするのを助けるのに、デバイス本体の第1表面１０１と下面との間の夾角は２０度から７０度に設定されることができ、ユーザは携帯電話を保持する姿勢を過度に調整する必要がない。よって、ユーザエクスペリエンスを向上することができる。
【００２８】
再度図１を参照すると、スマートブロードキャストデバイスのデバイス本体１００は、電源キー（メイン制御キー）１０２、音量調整キー１０３、ＬＥＤステータスインジケータ１０４、ＵＳＢインタフェース（図示せず）、電源ケーブル（図示せず）などがさらに提供されることができる。通常、２つの音量調整キー１０３があり、１つのキーは音量を上げるように構成され、もう一つのキーは音量を下げるように構成される。ＵＳＢインタフェースは、第1表面１０１の反対側のデバイス本体１００の第2表面（図示せず）に配置されることができ、携帯電話のようなエンドユーザデバイスを充電するための電力を出力する。例えば、ＵＳＢインタフェースは、５Ｖ／１Ａの電力を出力する。電源ケーブルは２２０Ｖなどの交流に接続するために使用されることができる。
【００２９】
あるいは、電源キー１０２、音量調整キー１０３、およびＬＥＤステータスインジケータ１０４は、デバイス本体１００上の別の場所に設置されることができる。実施形態は、本明細書において限定されない。
【００３０】
図３は、本明細書の例示的な実装に従った、別のスマートブロードキャストデバイスを示す概略図である。
【００３１】
図１に示す実装に基づいて、図３を参照すると、スマートブロードキャストデバイスは、通信モジュール１０５をさらに含むことができる。通信モジュール１０５は、デバイス本体１００内部にインストールされ、無線および／または有線リンクを介して外部と通信することができる。例えば、通信モジュール１０５はＷｉ−Ｆｉモジュールとすることができ、Ｗｉ−Ｆｉ技術を使用することにより、外部と通信することができる。別の例として、通信モジュール１０５はブルートゥース（登録商標、以下同じ）モジュールとすることができ、ブルートゥース技術を使用することにより、外部と通信することができる。もちろん、通信モジュール１０５は、Ｗｉ−Ｆｉモジュールやブルートゥースモジュールといった通信機能を有するモジュールの総称としても使用されることもできる。実施形態は本明細書において限定されない。
【００３２】
スマートブロードキャストデバイスは、処理モジュール１０６をさらに含む。処理モジュール１０６は、デバイス本体１００内部にインストールされることができ、通信モジュールに電気的に接続されることができる。処理モジュール１０６は、マイクロコントロールユニット（micro control unit, MCU）、CPU、フィールドプログラマブルゲートアレイ（field-programmable gate array, FPGA）等であり得る。実施形態は本明細書において限定されない。
【００３３】
スマートブロードキャストデバイスは、スピーカ１０７をさらに含むことができる。スピーカ１０７は、デバイス本体１００内部にインストールされ、処理モジュール１０６に電気的に接続されることができる。例えば、図１を再度参照すると、スピーカ１０７のスピーカホール１０７１は、第1表面１０１上の支払図形コード１０１１の左側と右側に配置されることができる。もちろん、スピーカ１０７のスピーカホール１０７１は、デバイス本体１００の別の位置に代わりに配置されることもできる。実施形態は本明細書において限定されない。
【００３４】
スマートブロードキャストデバイスは、さらにメモリ１０８、不揮発性メモリ１０９等を含むことができる。実施形態は本明細書において限定されない。
【００３５】
本実施形態において、例えば、サービスプロバイダが商人であるとき、商人は事前にスマートブロードキャストデバイスを商人のコレクションアカウントにバインドすることができる。例えば、商人は、コレクションアカウントに基づいて、ログインするクライアントを使用することによって、スマートブロードキャストデバイスのデバイス図形コードをスキャンすることができ、クライアントは、解析を通じてデバイス図形コードからデバイスの一意のハードウェア識別子を取得し、次いでハードウェア識別子とコレクションアカウントを含むバインディング要求を支払システムに送信することができ、支払システムは、ハードウェア識別子とコレクションアカウント間のバインディング関係を保存する。
【００３６】
本実施形態において、コレクションアカウントに対する支払要求を処理した後、支払システムはコレクションアカウントにバインドされたハードウェア識別子に基づいて、スマートブロードキャストデバイスにトリガ信号を送信することができる。スマートブロードキャストデバイスの処理モジュール１０６は、通信モジュール１０５を使用することによって、支払システムからのトリガ信号を受信することができ、スピーカ１０７を駆動して支払結果オーディオ、例えば、＊＊元は正常に受信された、を出力するために、支払結果オーディオ信号をスピーカ１０７にさらに出力することができる。
【００３７】
上記の説明から、本明細書で説明されるスマートブロードキャストデバイスは、支払図形コードと支払結果ブロードキャスト機能を統合していること、ユーザはデバイス本体に含まれる支払図形コードをスキャンすることによって支払をすることができ、スマートブロードキャストデバイスの処理モジュールは、通信モジュールを使用することによって支払システムからトリガ信号を受信し、支払結果オーディオ信号をスピーカに出力してスピーカを駆動して支払オーディオを出力することができることがわかる。このように、支払結果がタイムリーかつ信頼性の高い方法でブロードキャストされることができ、電子決済の体験が改善する。さらに、支払システムのブランド効果を向上させることができ、これは支払システムの宣伝に役立つ。
【００３８】
以下は、サービスプロバイダが商人である例を使用して、スマートブロードキャストデバイスのネットワーク構成、スマートブロードキャストデバイスのバインディング、スマートブロードキャストデバイスの電源投入、および支払結果オーディオの出力に関して本明細書の具体的な実装プロセスを個別に説明する。
【００３９】
１．スマートブロードキャストデバイスのネットワーク構成
【００４０】
本実施形態において、商人がスマートブロードキャストデバイスを使用する前に、スマートブロードキャストデバイスがインターネットにアクセスできるように、通常、ネットワークはスマートブロードキャストデバイス用に構成される必要がある。
【００４１】
本実施形態において、スマートブロードキャストデバイスの通信モジュール１０５は、Ｗｉ−Ｆｉモジュールを含み、Ｗｉ−ＦｉモジュールはＳＴＡ（Ｓｔａｔｉｏｉｎ）モードおよびＡＰ（Access Point）モードをサポートする。
【００４２】
スマートブロードキャストデバイスが電源投入された後、指定された物理キーによるトリガを通じて商人はＷｉ−ＦｉモジュールをＡＰモードに切り替えることができる。ＡＰモードにおいて、スマートブロードキャストデバイスはアクセスポイントとして機能し、エンドユーザデバイスの接続を許可することができる。指定された物理キーは開発者によって設定されることができる。意図しないタッチを軽減するために、例えば電源キーと音量(-)キーといった二つの物理キーがインストールされることができる。
【００４３】
携帯電話が例として使用される。商人は、Ｗｉ−ＦｉモジュールをＡＰモードに切り替えるために電源キーと音量（-）キーを同時に押し、次いでスマートブロードキャストデバイスのサービスセット識別子（ＳＳＩＤ）を携帯電話のＷｉ−Ｆｉリストから選択し、対応するパスワードを入力して、接続を確立することができる。スマートブロードキャストデバイスのＳＳＩＤおよび対応するパスワードは、デバイス本体１００に予め印刷されることができ、例えば、デバイス本体１００の下面あるいは別の位置に予め印刷されることができる。
【００４４】
携帯電話がスマートブロードキャストデバイスのＷｉ−Ｆｉに正常にアクセスした後、商人は、Ｗｉ−Ｆｉ接続を介して、例えばルータのＳＳＤＩやパスワードといったＷｉ−Ｆｉ接続情報を設定することができる。例えば、スマートブロードキャストデバイスのＷｉ−Ｆｉに正常にアクセスした後、クライアントは、スマートブロードキャストデバイスが接続されたというメッセージを表示することができ、次いで商人はクライアントを使用することによって、スマートブロードキャストデバイスのためのルータのＳＳＩＤとパスワードを設定することができる。
【００４５】
クライアント設定ＳＳＩＤとパスワードを受信した後、スマートブロードキャストデバイスは、Ｗｉ−ＦｉモジュールをＳＴＡモードに切り替え、次いで、インターネットにアクセスするために、設定されたＳＳＩＤとパスワードに基づいて対応するＷｉ−Ｆｉネットワークにアクセスすることができる。
【００４６】
インターネットにアクセスした後、スマートブロードキャストデバイスは、支払システムの事前設定されたアドレスに基づいて支払システムに長い接続を確立することができ、支払システムによって送信された様々なタイプの情報を受信する。
【００４７】
支払システムのアドレスは通常、不揮発性メモリ１０９に保存される。長い接続の確立のための要求パケットは通常、処理モジュール１０６によってカプセル化され、通常、通信モジュール１０５を使用することによって、送信および受信される。
【００４８】
スマートブロードキャストデバイスの各機能が本明細書で後に説明されるとき、各機能の実装手順が強調される。対応する機能を実装するために、スマートブロードキャストデバイスのハードウェアモジュールが協力するプロセスについて、関連する技術を参照することができる。本明細書において詳細は省略される。例えば、プロセッサ１０５は、スピーカにオーディオ信号を出力し、対応するオーディオを出力するためにスピーカを駆動し、これはスマートブロードキャストデバイスによって対応するオーディオを出力していると説明されることができる。
【００４９】
別の例において、スマートブロードキャストデバイスのネットワークが構成されたとき、スマートブロードキャストデバイスにブルートゥース接続が最初に確立されることができ、次いでブルートゥース接続を使用することによって、Ｗｉ−Ｆｉ接続情報が送信され、そうすることによってスマートブロードキャストデバイスはインターネットにアクセスする。実施形態は本明細書において限定されない。
【００５０】
２．スマートブロードキャストデバイスのバインディング
【００５１】
本実施形態において、スマートブロードキャストデバイスのデバイス本体１００は通常、デバイス図形コード（図示せず）をさらに含むことができる。デバイス図形コードは、一意のハードウェア識別子といった、デバイスのデバイス識別子が含む。
【００５２】
デバイス図形コードは通常、商人がスマートブロードキャストデバイスをバインドするときにのみ使用される。従って、デバイス図形コードはデバイス本体１００の下面に提供されることができる。例えば、デバイス図形コードはデバイス本体の下面に貼り付けられる。もちろん、デバイス図形コードは、例えば第１表面１０１の反対側の表面といった、デバイス本体の別の位置に代わりに配置されることができる。デバイス図形コードの形態は、バーコード、二次元コードなどであることができる。実施形態は本明細書において限定されない。
【００５３】
商人は、スマートブロードキャストデバイスを使用する前に、スマートブロードキャストデバイスを商人のコレクションアカウント（以下、商人アカウントと呼ぶ）にバインドする必要がある。
【００５４】
本明細書において、図４を参照すると、スマートブロードキャストデバイスをバインディングするプロセスは以下のステップを含むことができる。
【００５５】
ステップ４０２：クライアントはスマートブロードキャストデバイス上のデバイス図形コードをスキャンする。
【００５６】
商人は、商人アカウントに基づいてログインするクライアントを使用することによって、スマートブロードキャストデバイス上のデバイス図形コードをスキャンすることができる。
【００５７】
ステップ４０４：クライアントは、スマートブロードキャストデバイスをバインディングするためのリクエストを支払システムに送信する。
【００５８】
スキャンの後、クライアントは、スマートブロードキャストデバイスのデバイス識別子を取得することができ、次いでクライアントはブロードキャストデバイスをバインディングするためのリクエストを支払システムに送信することができる。要求は、例えば商人アカウントの識別情報といった、デバイス識別子と商人アカウントを含む。
【００５９】
ステップ４０６：支払システムはスマートブロードキャストデバイスが許可されているか否かを検証する。
【００６０】
ブロードキャストデバイスバインディングするためのリクエストを受信した後、支払システムは、デバイス識別子に基づいて、対応するスマートブロードキャストデバイスが許可されているか否かを最初に検証することができる。
【００６１】
例えば、支払システムは、スマートブロードキャストデバイスが、許可されたデバイスの識別子を保存するハードウェアプラットフォーム上で許可されているか否かを検証することができる。
【００６２】
もちろん、支払システムが許可されたデバイスの識別子のリストをローカルに保存する場合、支払システムはローカル検証を実施することができる。実施形態は本明細書において限定されない。
【００６３】
スマートブロードキャストデバイスが許可されていないと判断することに応答して、支払システムは、商人にセキュリティリスクを気づかせるためにセキュリティプロンプトをクライアントに返すことができる。
【００６４】
ステップ４０８：スマートブロードキャストデバイスが許可されていると判断することに応答して、支払システムはデバイス識別子を商人アカウントにバインドすることができる。
【００６５】
ステップ４１０：支払システムは、バインディング成功メッセージをクライアントに返す。
【００６６】
本実施形態において、デバイス識別子を商人アカウントにバインディングした後、支払システムは対応するスマートブロードキャストデバイスがオンラインであるか否かをさらにチェックする、言い換えると、対応するスマートブロードキャストデバイスが支払システムに長い接続を確立したか否かをチェックすることができる。スマートブロードキャストデバイスがオンラインであると判断することに応答して、支払システムはバインディング成功メッセージをスマートブロードキャストデバイスにさらに送信することができ、スマートブロードキャストデバイスはさらに、ユーザアカウントが正常にバインドされたことを示す音声を出力することができる。
【００６７】
バインディング成功音声は、一般的な音声、例えば、アカウントが正常にバインドされました、にすることができる。バインディング成功オーディオは、例えば、Ａのアカウントが正常にバインドされた、といった商人アカウントについての情報をさらに含むことができる。商人アカウントについての情報は、支払システムによって送信されたバインディング成功メッセージに含まれる。実施形態は本実装において限定されない
【００６８】
本実施形態において、商人は、クライアントを使用することによって、例えば、スマートブロードキャストデバイスがバインドされたか否か、バインドされたスマートブロードキャストデバイスはオンラインであるか否か、といったスマートブロードキャストデバイスの状態を見ることができる。この部分の処理と実装については、関連する技術を参照することができる。本実装においては詳細は省略される。
【００６９】
本実施形態において、商人はさらに、クライアントを使用することにより、スマートブロードキャストデバイスをアンバインドすることができ、例えば、クライアントのユーザページによって提供されるアンバインドボタンをクリックし、クライアントはさらに支払システムにアンバインド要求を送信することができ、支払システムはさらにスマートブロードキャストデバイスから商人アカウントをアンバインドすることができる。アンバインディングの後、支払システムはさらに、対応するスマートブロードキャストデバイスにアンバインディングメッセージを送信することができ、そうすることによって、スマートブロードキャストデバイスは、例えば「アンバインディングが成功しました」といったアンバインディングプロンプトオーディオを出力する。
【００７０】
任意選択で、別の例において、支払システムはさらに、スマートブロードキャストデバイスがセキュリティリスクにさらされているか否かを監視することができ、スマートブロードキャストデバイスがセキュリティリスクにさらされていると判断したとき、商人アカウントからスマートブロードキャストデバイスを自動的にアンバインドし、商人の利益を保護するためにクライアントにプロンプトを送信する。
【００７１】
この例において、スマートブロードキャストデバイスはデバイスのデバイスデータを支払システムに定期的に報告することができる。デバイスデータはオペレーティングシステムバージョン番号、スピーカファームウェア番号等を含むことができる。デバイスデータを受信した後、支払システムは、デバイスデータに基づいて、スマートブロードキャストデバイスがセキュリティリスクにさらされているか否かを判断することができる。例えば、支払システムは、オペレーティングシステムバージョン番号が最新であるか否か、スピーカファームウェア番号が正しいか否かなどを判断することができる。オペレーティングシステムバージョン番号が最新であり、スピーカファームウェア番号が正しいと判断することに応答して、支払システムは対応するスマートブロードキャストデバイスがセキュリティリスクにさらされていないと判断することができ、オペレーティングシステムバージョン番号が最新でないか、あるいはスピーカファームウェア番号が正しくないと判断することに応答して、支払システムはスマートブロードキャストデバイスがセキュリティリスクにさらされていると判断することができる。もちろん、実際には、デバイスデータはさらに別の情報を含むことができ、支払システムがスマートブロードキャストデバイスがセキュリティリスクにさらされているか否かを判断する方法は、別の情報に基づいてさらに拡張されることができる。実施形態は本明細書において限定されない。
【００７２】
この例において、支払システムは、デバイスデータを受信した後に、セキュリティリスクを確認することができる。あるいは、支払システムは受信したデバイスデータを最初に格納し、次いで、ビジーでない時にセキュリティリスクをオフラインで確認することができる。実施形態は本明細書において限定されない。
【００７３】
３．スマートブロードキャストデバイスの電源投入
【００７４】
図５を参照すると、本実施形態におけるスマートブロードキャストデバイスの電源投入手順は、以下のステップを含むことができる。
【００７５】
ステップ５０２：電源キーを押して保持する。
【００７６】
本実施形態において、スマートブロードキャストデバイスの電源キー１０２が電源投入のために押して保持されることができ、例えば3秒間押して保持される。
【００７７】
ステップ５０４：スマートブロードキャストデバイスは、開始が成功したか否かを判断し、開始が成功したと判断することに応答して、ステップ５０６を実行する。
【００７８】
本実施形態において、開始が失敗したと判断することに応答して、スマートブロードキャストデバイスは、電源投入失敗音を出力することができる。
【００７９】
ステップ５０６：スマートブロードキャストデバイスは、Ｗｉ−Ｆｉ接続が正常であるか否かを検出し、Ｗｉ−Ｆｉ接続が正常であると判断することに応答して、ステップ５０８を実行する。
【００８０】
本実施形態においては、スマートブロードキャストデバイスが初めて開始した時にＷｉ−Ｆｉ接続情報が設定されていないため、ＬＥＤステータスインジケータが赤い光をつける。
【００８１】
本実施形態において、Ｗｉ−Ｆｉ接続情報が設定された後、開始が成功した場合、スマートブロードキャストデバイスは以前に設定されたＷｉ−Ｆｉ接続情報に基づいてネットワークへのアクセスを試みる、例えばルータのＳＳＩＤとパスワードに基づいてルータへのアクセスを試みることができる。
【００８２】
ネットワークが正常に接続された場合、Ｗｉ−Ｆｉ接続が正常であると判断することができ、ステップ５０８がさらに実行される。
【００８３】
ネットワークが正常に接続されない場合、ＬＥＤステータスインジケータは、ネットワークアクセス失敗を促すために赤い光をつけるように制御されることができる。
【００８４】
ステップ５０８：スマートブロードキャストデバイスは、アカウントバインディングが正常であるか否かを検出し、アカウントバインディングが正常であると判断することに応答して、ステップ５１０を実行する。
【００８５】
ステップ５０６に従って、スマートブロードキャストデバイスは、Ｗｉ−Ｆｉ接続が正常である場合、支払システムの保存されたアドレスに基づいて支払システムへの長い接続を確立することができ、長い接続を確立したあとに、バインディングクエリ要求を支払システムに送信することができ、デバイスと商人アカウントとの間のバインディング状態を照会する。バインディングクエリ要求は、デバイスのデバイス識別子を含むことができる。
【００８６】
バインディングクエリ要求を受信した後、支払システムは、スマートブロードキャストデバイスが商人アカウントにバインドされているか否かを判断し、スマートブロードキャストデバイスにクエリ要求を返すことができる。クエリ結果は、バインド済み、又はアンバインド済みであることができる。
【００８７】
バインド済みクエリ結果が受信された場合、アカウントのバインディングが正常であると判断されることができ、次いでステップ５１０がさらに実行される。
【００８８】
アンバインド済みクエリ結果が受信された場合、アカウントのバインディングが異常であると判断されることができ、次いでＬＥＤステータスインジケータが、促すために赤い光をつけるように制御されることができる。ＬＥＤステータスインジケータに基づいて、アカウントのバインディングが異常であると判断した場合、商人はクライアントを使用して確認し、時間内にバインディングの異常を解決することができ、これにより、バインディングの異常によって支払結果オーディオがブロードキャストされないという問題を軽減する。
【００８９】
ステップ５１０：緑の光をつけるようにＬＥＤステータスインジケータを制御する。
【００９０】
ステップ５０８における検出結果に基づいて、アカウントのバインディングが正常である場合、スマートブロードキャストデバイスが動作状態に入ったことを示し、それによってＬＥＤステータスインジケータは緑の光をつけることができる。
【００９１】
本実施形態において、ＬＥＤステータスインジケータによって出力される光プロンプトは一例にすぎないことに留意するに値する。実際、別の光プロンプトが出力されることができる。例えば、ＬＥＤステータスインジケータは、Ｗｉ−Ｆｉ接続が異常であるか、アカウントのバインディングが異常である場合、赤い光をつける。実施形態は本明細書において限定されない。
【００９２】
４．支払結果オーディオの出力
【００９３】
図６を参照すると、スマートブロードキャストデバイスは、以下のステップを使用することによって、支払結果オーディオをブロードキャストすることができる。
【００９４】
ステップ６０２：ユーザは、スマートブロードキャストデバイスの本体に含まれる支払図形コードをスキャンする。
【００９５】
本実施形態において、ユーザが消費を実行した後、ユーザは、スマートブロードキャストデバイスの本体に含まれる2次元支払コードといった支払図形コードを、携帯電話にロードされたクライアントを使用することによってスキャンすることができる。
【００９６】
支払図形コードをスキャンした後、クライアントは商人アカウントのための支払ページを表示することができ、ユーザは支払ページ、例えば、支払金額を入力して支払を確認することに基づいて、支払をする。
【００９７】
ユーザが支払を確認した後、クライアントは支払システムに支払要求を送信することができる。通常、支払要求は支払金額、商人アカウント、および時間などの情報が含まれる。
【００９８】
任意選択で、別の例において、スマートブロードキャストデバイスは、近距離無線通信（Near Field Communication, NFC）モジュールを用いてさらに提供されることができる。NFC技術をサポートするエンドユーザデバイスを検出すると、NFCモジュールは、NFC技術を使用することによって支払図形コードに含まれる情報をエンドユーザデバイスに送信することができる。情報を受信した後、商人アカウントのための支払ページが支払いのためにユーザに表示されることもできる。スマートエンドユーザデバイスが商人アカウントにバインドされた後、支払図形コードに含まれる情報は、支払システムによって送信されることができる。
【００９９】
この例において、NFCモジュールは支払図形コードに含まれる情報を送信して、スキャン中にユーザが支払図形コードをスキャンできない時に発生する、スキャン失敗を効果的に軽減する。そのため、スキャン成功率を向上することができる。
【０１００】
任意選択で、別の例において、ユーザは、別の場所で商人によって提供された２次元支払コードをスキャンすることによって支払うこともできる。実施形態は本明細書において限定されない。
【０１０１】
ステップ６０４：支払システムは、商人アカウントのための支払要求を処理する。
【０１０２】
ステップ６０６：支払が成功した後、支払システムは、商人アカウントにバインドされたスマートブロードキャストデバイスのデバイス識別子を検索する。
【０１０３】
ステップ６０８：支払システムは、識別されたデバイス識別子に基づいて、対応するスマートブロードキャストデバイスに支払結果を送信する。
【０１０４】
ステップ６１０：スマートブロードキャストデバイスは、支払結果オーディオを出力する。
【０１０５】
一例において、支払システムによって送信された支払結果は、支払結果オーディオであることができ、スマートブロードキャストデバイスは、支払結果オーディオを受信した後、支払結果オーディオを直接再生することができる。
【０１０６】
別の一例において、通常、支払結果オーディオのデータ量は大きいため、支払結果オーディオの伝送のために支払システムの比較的大きい帯域幅が使用され、支払システムのパフォーマンスに影響する。任意選択で、支払システムによって送信される支払結果は、支払結果オーディオのユニフォームリソースロケータ（Uniform Resource Locator, URL）にすることができる。支払システムによって送信されたURLを受信した後、スマートブロードキャストデバイスは、URLに基づいて対応するアドレスから対応する支払結果オーディオを取得し、次いで対応する支払結果オーディオを再生することができる。支払結果オーディオが直接送信される方法とは異なり、この解決策は、支払システムのパフォーマンスを向上する。
【０１０７】
別の一例において、より少ないネットワークリソースを使用して、支払結果伝送効率を改善するために、スマートブロードキャストデバイスは、オーディオの組み合わせの方法で支払結果オーディオをブロードキャストすることができる。
【０１０８】
詳細には、スマートブロードキャストデバイスは、支払結果オーディオ、例えば、「正常に受信されました」「元」などの基本のオーディオを事前に保存することができる。支払が成功した後、支払システムによってスマートブロードキャストデバイスに送信される支払結果は、支払結果パラメータ、例えばユーザによって支払われた特定の金額であることができる。
【０１０９】
支払結果パラメータを受信した後、スマートブロードキャストデバイスは、支払結果パラメータとブロードキャストのための保存された基本オーディオに基づいて支払結果オーディオを組み合わせることができる。
【０１１０】
例えば、ユーザは１０元を正常に支払った。この場合において、支払システムは、支払結果パラメータ１０を送信することができ、支払結果パラメータ１０を受信した後、スマートブロードキャストデバイスは、基本オーディオ「正常に受信されました」と「元」を取得することができ、次いで、ブロードキャストのための支払結果オーディオ「１０元が正常に受信されました」を組み合わせる。
【０１１１】
別の一例において、支払が失敗した場合、支払システムは、対応するスマートブロードキャストデバイスに支払結果を送信することもでき、そうすることによって、スマートブロードキャストデバイスは対応する支払結果オーディオを出力する。実施形態は本明細書において限定されない。
【０１１２】
商人アカウントにバインドされた後、本明細書で提供されるスマートブロードキャストデバイスは商人アカウントに固有の支払結果オーディオをブロードキャストすることができ、そうすることによって、商人のスタッフが支払結果をタイムリーに聞くことができる。スマートスピーカとは異なり、スマートブロードキャストデバイスはエンドユーザデバイスから独立している。商人アカウントに基づいてログインするエンドユーザデバイスが店にない場合、例えば、店主が携帯電話を持って店を離れる時、商人のスタッフも支払結果を聞くことができ、商人の利益を保護する。さらに、本明細書で提供されるスマートブロードキャストデバイスに従って、支払システムのブランド効果を向上することができ、これは支払システムの宣伝に役立つ。
【０１１３】
別の例において、Wi-Fiプローブモジュールは、スマートブロードキャストデバイスにさらにインストールされることができ、エンドユーザデバイス情報を検出して、例えば客の流れる量、ユーザの数、失ったユーザの数といった動作状況を商人が分析するのを支援するように構成されることができる。
【０１１４】
Wi-Fiプローブモジュールは、検出情報を支払システムに報告することができる。例えば、Wi-Fiプローブモジュールは、所定のプロトコルに従って検出情報をカプセル化し、次いで検出情報を支払システムに報告する。検出情報は、エンドユーザデバイスの数と、エンドユーザデバイスのデバイス情報、例えば、メディアアクセスコントロール（media access control, MAC）アドレスが含まれ得る。
【０１１５】
検出情報を受信した後、支払システムは、ユーザ保持分析、ファネル分析等を実行して、商人が商人の動作ステータスを分析するのを支援し、分析結果を商人にプッシュすることができる。
【０１１６】
任意選択で、Wi-Fiプローブモジュールに基づいて、支払システムは、音声プッシュ情報のカスタマイズにおいて商人をさらにサポートできる。
【０１１７】
例えば、商人は、３０人のユーザが店にいるときに、ユーザが購入した商品に対して５０元以上を費やすと、すべてのユーザが無料でコーラ(coke)を獲得できるプロモーションプログラムを実施したい。商人は、クライアントを使用することによって、プログラムのプッシュ情報オーディオとプッシュ条件を事前設定することができる。プッシュ条件は、店に３０人のユーザがいることであり、プッシュ情報オーディオは「ユーザが購入した商品に５０元以上費やすと、すべてのユーザが無料でコーラを獲得できます」である。
【０１１８】
以前の構成に基づいて、スマートブロードキャストデバイスによって報告された検出情報を受信した後、支払システムは、検出情報に含まれるエンドユーザデバイスの数が３０に達したか否かを判断できる。エンドユーザデバイスの数が３０に達すると、支払システムは、ストアに３０人のユーザがいると判断することができ、次いで商人によって設定されたプッシュ情報の音声、例えばプッシュ情報のオーディオのＵＲＬをスマートブロードキャストデバイスに送信することができ、そうすることによってスマートブロードキャストデバイスはプッシュ情報オーディオをブロードキャストする。
【０１１９】
実際には、商人は大量のプッシュ情報オーディオおよび対応するプッシュ条件を設定することができる。本明細書において実施形態は制限されていない。
【０１２０】
前述の説明は、本開示の好ましい実装に過ぎず、本開示を限定することを意図するものではない。本開示の精神および原理の範囲内で行われる任意の修正、同等の置換、または改善は、本開示の保護範囲内にあるものとする。
【符号の説明】
【０１２１】
１００  デバイス本体
１０１  第１表面
１０２  電源キー
１０３  音量調整キー
１０４  ステータスインジケータ
１０５  通信モジュール
１０６  処理モジュール
１０７  スピーカ
１０８  メモリ
１０９  不揮発性メモリ
１０１１  支払い図形コード
１０７１  スピーカホール
【図１】
2020523653.tif 000003
【図２】
2020523653.tif 000004
【図３】
2020523653.tif 000005
【図４】
2020523653.tif 000006
【図５】
2020523653.tif 000007
【図６】
2020523653.tif 000008
【手続補正書】
【提出日】令和1年12月12日(2019.12.12)
【手続補正１】
【補正対象書類名】特許請求の範囲
【補正対象項目名】全文
【補正方法】変更
【補正の内容】
【特許請求の範囲】
【請求項１】
支払伝送のためのスマートブロードキャストデバイスであって、前記スマートブロードキャストデバイスは、
支払図形コードを表示するように構成された第1表面と、前記スマートブロードキャストデバイスの識別子を表示するように構成された下面と、を含み、前記第１表面と前記下面はスキャン角度を定める、デバイス本体と、
前記デバイス本体の内部にインストールされ、無線リンクまたは有線リンクを介して外部装置と通信し、前記外部装置から通信信号を受信することに応答して、トリガ信号を生成するように構成された、通信モジュールであって、前記通信信号は、前記支払図形コードに関連付けられている、通信モジュールと、
前記デバイス本体の内部にインストールされ、前記通信モジュールに電気的に接続され、支払結果オーディオ信号を生成するために、前記通信モジュールから受信した前記トリガ信号を処理するように構成された、処理モジュールと、
前記デバイス本体の内部にインストールされ、前記処理モジュールに電気的に接続され、前記処理モジュールから前記支払結果オーディオ信号を受信することに応答して支払結果オーディオを出力するように構成されたスピーカと、を備える、
スマートブロードキャストデバイス。
【請求項２】
前記第１表面は、前記支払図形コードを表示するように構成されたディスプレイ画面を含む、
請求項１に記載のスマートブロードキャストデバイス。
【請求項３】
前記支払図形コードのコードレイヤは前記第１表面に貼りつけられる、
請求項１に記載のスマートブロードキャストデバイス。
【請求項４】
前記第１表面と前記下面との間の前記スキャン角度は９０度未満である、
請求項１に記載のスマートブロードキャストデバイス。
【請求項５】
前記第１表面と前記下面との間の前記スキャン角度は、２０度から７０度である、
請求項４に記載のスマートブロードキャストデバイス。
【請求項６】
前記スピーカのスピーカホールは、前記第１表面上の前記支払図形コードの左側と右側に配置される、
請求項１に記載のスマートブロードキャストデバイス。
【請求項７】
前記デバイス本体にインストールされ、エンドユーザデバイスを充電するために電力を出力するように構成された、USBインタフェースをさらに含む、
請求項１に記載のスマートブロードキャストデバイス。
【請求項８】
前記デバイス本体にインストールされ、前記処理モジュールによって出力される光ドライブ信号に基づいて対応する光プロンプトを出力するように構成されたＬＥＤステータスインジケータをさらに含む、
請求項１に記載のスマートブロードキャストデバイス。
【請求項９】
前記支払結果オーディオの音量を調整するように構成された音量調整ボタンをさらに含む、請求項１に記載のスマートブロードキャストデバイス。
【請求項１０】
前記デバイス本体の内部にインストールされ、エンドユーザデバイス情報を検出するように構成された、Wi-Fiプローブモジュールであって、
前記処理モジュールは、所定のプロトコルに従って、前記Wi-Fiモジュールによって検出された前記エンドユーザデバイス情報をカプセル化し、前記通信モジュールを使用することによって、前記エンドユーザデバイス情報を報告するようにさらに構成された、
請求項１に記載のスマートブロードキャストデバイス。
【請求項１１】
前記デバイス本体の内部にインストールされ、近距離無線通信（Near Field Communication, NFC）機能を備えるエンドユーザデバイスが検出されると、NFC技術を使用することによって前記支払図形コードに含まれる情報を前記エンドユーザデバイスに送信するように構成された、NFCモジュールをさらに含む、
請求項１に記載のスマートブロードキャストデバイス。
【国際調査報告】
2020523653.tif 000009
2020523653.tif 000010
2020523653.tif 000011
2020523653.tif 000012